(57)【要約】【課題】  被写人物ごとの振り分けなどの分類・編集作業を容易にすることができるアルバムコンテンツ自動作成方法及びシステムを提供すること。【解決手段】  ディジタルカメラが、当該カメラに付設した無線タグ読み取り手段によって撮影対象の被写体が保持している無線タグから当該被写体に固有の被写体ＩＤ情報を読み取り、撮影した被写体の撮影画像データの添付情報として撮影画像データ記憶媒体に格納するステップを備え、アルバムコンテンツを作成するアルバムコンテンツ自動作成装置が、前記撮影画像データ記憶媒体に格納された添付情報を含む撮影画像データを読み出し、読み出した撮影画像データのうちユーザに指定された被写体ＩＤ情報が添付された撮影画像データのみを抽出し、抽出された撮影画像データをアルバムコンテンツとして出力するステップを備えることを特徴とする。【選択図】      図４
2006350550.tif 000002
【特許請求の範囲】
【請求項１】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体が保持している無線タグから当該被写体に固有の被写体ＩＤ情報を読み取り、撮影した被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報が添付された撮影画像データのみを抽出し、抽出された撮影画像データをアルバムコンテンツとして出力する第２のステップを備えることを特徴とするアルバムコンテンツ自動作成方法。
【請求項２】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体の背景物体に保持されている無線タグから当該背景物体に固有の背景物体ＩＤ情報を読み取り、撮影した被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された背景物体ＩＤ情報が添付された撮影画像データのみを抽出し、抽出された撮影画像データをアルバムコンテンツとして出力する第２のステップを備えることを特徴とするアルバムコンテンツ自動作成方法。
【請求項３】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した現在位置検出手段によって撮影位置情報を検出し、該撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された撮影位置に相当する撮影位置情報が添付された撮影画像データのみを抽出し、抽出された撮影画像データをアルバムコンテンツとして出力する第２のステップを備えることを特徴とするアルバムコンテンツ自動作成方法。
【請求項４】
前記被写体ＩＤ情報別に被写体の属性情報が登録されている被写体情報データベースからユーザに指定された被写体ＩＤ情報に対応する被写体の属性情報を読み出し、その属性情報に基づいて前記第２のステップで抽出された撮影画像データに対するコメント文を作成し、そのコメント文を添付したアルバムコンテンツを出力する第３のステップをさらに備えることを特徴とする請求項１に記載のアルバムコンテンツ自動作成方法。
【請求項５】
前記背景物体ＩＤ情報別に背景物体の属性情報が登録されている背景物体情報データベースからユーザに指定された背景物体ＩＤ情報に対応する背景物体の属性情報を読み出し、その属性情報に基づいて前記第２のステップで抽出された撮影画像データに対するコメント文を作成し、そのコメント文を添付したアルバムコンテンツを出力する第３のステップをさらに備えることを特徴とする請求項２に記載のアルバムコンテンツ自動作成方法。
【請求項６】
任意の撮影位置に対してそれぞれの撮影位置の属性情報が登録されている位置情報データベースから前記撮影画像データの添付情報として含まれる撮影位置情報に相当する属性情報を読み出し、その属性情報に基づいて前記第２のステップで抽出された撮影画像データに対するコメント文を作成し、そのコメント文を添付したアルバムコンテンツを出力する第３のステップをさらに備えることを特徴とする請求項３に記載のアルバムコンテンツ自動作成方法。
【請求項７】
被写体の多様な属性に関連する広告情報が登録されている広告情報データベースから前記第３のステップで読み出した被写体の属性情報に対応する広告情報を読み出し、その広告情報をアルバムコンテンツにさらに添付する第４のステップを備えることを特徴とする請求項４に記載のアルバムコンテンツ自動作成方法。
【請求項８】
背景物体別の属性に関連する広告情報が登録されている広告情報データベースから前記第３のステップで読み出した背景物体の属性情報に対応する広告情報を読み出し、その広告情報をアルバムコンテンツにさらに添付する第４のステップを備えることを特徴とする請求項５に記載のアルバムコンテンツ自動作成方法。
【請求項９】
撮影場所別の属性に関連する広告情報が登録されている広告情報データベースから前記第３のステップで読み出した撮影位置の属性情報に対応する広告情報を読み出し、その広告情報をアルバムコンテンツにさらに添付する第４のステップを備えることを特徴とする請求項５に記載のアルバムコンテンツ自動作成方法。
【請求項１０】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体が保持している無線タグから当該被写体に固有の被写体ＩＤ情報を読み取り、さらに前記無線タグ読み取り手段によって撮影対象の被写体の背景物体に保持されている無線タグから当該背景物体に固有の背景物体ＩＤ情報を読み取り、これらの被写体ＩＤ情報及び背景物体ＩＤ情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報及び背景物体ＩＤ情報が添付された撮影画像データのみを抽出し、抽出された撮影画像データをアルバムコンテンツとして出力する第２のステップを備えることを特徴とするアルバムコンテンツ自動作成方法。
【請求項１１】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体が保持している無線タグから当該被写体に固有の被写体ＩＤ情報を読み取り、さらに当該カメラに付設した現在位置検出手段によって撮影位置情報を検出し、これらの被写体ＩＤ情報及び撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報及び撮影位置情報が添付された撮影画像データのみを抽出し、抽出された撮影画像データをアルバムコンテンツとして出力する第２のステップを備えることを特徴とするアルバムコンテンツ自動作成方法。
【請求項１２】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体の背景物体に保持されている無線タグから当該背景物体に固有の背景物体ＩＤ情報を読み取り、さらに当該カメラに付設した現在位置検出手段によって撮影位置情報を検出し、これらの被写体ＩＤ情報及び撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された背景物体ＩＤ情報及び撮影位置情報が添付された撮影画像データのみを抽出し、抽出された撮影画像データをアルバムコンテンツとして出力する第２のステップを備えることを特徴とするアルバムコンテンツ自動作成方法。
【請求項１３】
ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体及び背景物体が保持している無線タグから当該被写体及び背景物体に固有の被写体ＩＤ情報及び背景物体ＩＤ情報を読み取り、さらに当該カメラに付設した現在位置検出手段によって撮影位置情報を検出し、これらの被写体ＩＤ情報及び撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報、背景物体ＩＤ情報及び撮影位置情報が添付された撮影画像データのみを抽出し、抽出された撮影画像データをアルバムコンテンツとして出力する第２のステップを備えることを特徴とするアルバムコンテンツ自動作成方法。
【請求項１４】
前記被写体ＩＤ情報別に被写体の属性情報が登録されている被写体情報データベースからユーザに指定された被写体ＩＤ情報に対応する被写体の属性情報を読み出し、さらに前記背景物体ＩＤ情報別に背景物体の属性情報が登録されている背景物体情報データベースからユーザに指定された背景物体ＩＤ情報に対応する背景物体の属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする請求項１０に記載のアルバムコンテンツ自動作成方法。
【請求項１５】
前記被写体ＩＤ情報別に被写体の属性情報が登録されている被写体情報データベースからユーザに指定された被写体ＩＤ情報に対応する被写体の属性情報を読み出し、さらに任意の撮影位置に対してそれぞれの撮影位置の属性情報が登録されている位置情報データベースから前記撮影画像データの添付情報として含まれる撮影位置情報に相当する属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする請求項１１に記載のアルバムコンテンツ自動作成方法。
【請求項１６】
前記背景物体ＩＤ情報別に背景物体の属性情報が登録されている背景物体情報データベースからユーザに指定された背景物体ＩＤ情報に対応する背景物体の属性情報を読み出し、さらに任意の撮影位置に対してそれぞれの撮影位置の属性情報が登録されている位置情報データベースから前記撮影画像データの添付情報として含まれる撮影位置情報に相当する属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする請求項１２に記載のアルバムコンテンツ自動作成方法。
【請求項１７】
前記被写体ＩＤ情報別に被写体の属性情報が登録されている被写体情報データベース及び前記背景物体ＩＤ情報別に背景物体の属性情報が登録されている背景物体情報データベースからユーザに指定された被写体ＩＤ情報及び背景物体ＩＤ情報に対応する被写体の属性情報及び背景物体の属性情報を読み出し、さらに任意の撮影位置に対してそれぞれの撮影位置の属性情報が登録されている位置情報データベースから前記撮影画像データの添付情報として含まれる撮影位置情報に相当する属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする請求項１３に記載のアルバムコンテンツ自動作成方法。
【請求項１８】
被写体の多様な属性に関連する広告情報が登録されている広告情報データベース及び背景物体別の属性に関連する広告情報が登録されている広告情報データベースから前記第３のステップで読み出した被写体の属性情報及び背景物体の属性情報に対応する広告情報を読み出し、その広告情報をアルバムコンテンツにさらに添付する第４のステップを備えることを特徴とする請求項１４に記載のアルバムコンテンツ自動作成方法。
【請求項１９】
被写体の多様な属性に関連する広告情報が登録されている広告情報データベース及び撮影場所別の属性に関連する広告情報が登録されている広告情報データベースから前記第３のステップで読み出した被写体の属性情報及び撮影位置の属性情報に対応する広告情報を読み出し、その広告情報をアルバムコンテンツにさらに添付する第４のステップを備えることを特徴とする請求項１４に記載のアルバムコンテンツ自動作成方法。
【請求項２０】
背景物体別の属性に関連する広告情報が登録されている広告情報データベース及び撮影場所別の属性に関連する広告情報が登録されている広告情報データベースから前記第３のステップで読み出した背景物体の属性情報及び撮影位置の属性情報に対応する広告情報を読み出し、その広告情報をアルバムコンテンツにさらに添付する第４のステップを備えることを特徴とする請求項１６に記載のアルバムコンテンツ自動作成方法。
【請求項２１】
被写体の多様な属性に関連する広告情報が登録されている広告情報データベース、背景物体別の属性に関連する広告情報が登録されている広告情報データベース及び撮影場所別の属性に関連する広告情報が登録されている広告情報データベースから前記第３のステップで読み出した被写体の属性情報、背景物体の属性情報及び撮影位置の属性情報に対応する広告情報を読み出し、その広告情報をアルバムコンテンツにさらに添付する第４のステップを備えることを特徴とする請求項１４に記載のアルバムコンテンツ自動作成方法。
【請求項２２】
ディジタルカメラとアルバムコンテンツを作成するアルバムコンテンツ自動作成装置から構成され、前記ディジタルカメラによって撮影した複数の撮影画像データを素材として撮影画像データ中の特定の被写体に関するアルバムコンテンツを作成するアルバムコンテンツ自動作成システムであって、
前記ディジタルカメラが、
当該カメラに付設した無線タグ読み取り手段によって撮影対象の被写体が保持している無線タグから当該被写体に固有の被写体ＩＤ情報を読み取り、撮影した被写体の撮影画像データの添付情報として撮影画像データ記憶媒体に格納する第１の手段を備え、
前記アルバムコンテンツ自動作成装置が、
前記撮影画像データ記憶媒体に格納された添付情報を含む撮影画像データを読み出し、読み出した撮影画像データのうちユーザに指定された被写体ＩＤ情報が添付された撮影画像データのみを抽出し、抽出された撮影画像データをアルバムコンテンツとして出力する第２の手段を備えることを特徴とするアルバムコンテンツ自動作成システム。
【請求項２３】
ディジタルカメラとアルバムコンテンツを作成するアルバムコンテンツ自動作成装置から構成され、前記ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体の背景物体に保持されている無線タグから当該背景物体に固有の背景物体ＩＤ情報を読み取り、撮影した被写体の撮影画像データの添付情報として撮影画像データ記憶媒体に格納する第１の手段を備え、
前記アルバムコンテンツ自動作成装置が、
前記撮影画像データ記憶媒体に格納された添付情報を含む撮影画像データを読み出し、読み出した撮影画像データのうちユーザに指定された背景物体ＩＤ情報が添付された撮影画像データのみを抽出し、抽出された撮影画像データをアルバムコンテンツとして出力する第２の手段を備えることを特徴とするアルバムコンテンツ自動作成システム。
【請求項２４】
ディジタルカメラとアルバムコンテンツを作成するアルバムコンテンツ自動作成装置から構成され、前記ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した現在位置検出手段によって撮影位置情報を検出し、該撮影位置情報を被写体の撮影画像データの添付情報として撮影画像データ記憶媒体に格納する第１の手段を備え、
前記アルバムコンテンツ自動作成装置が、
前記撮影画像データ記憶媒体に格納された添付情報を含む撮影画像データを読み出し、読み出した撮影画像データのうちユーザに指定された撮影位置に相当する撮影位置情報が添付された撮影画像データのみを抽出し、抽出された撮影画像データをアルバムコンテンツとして出力する第２の手段を備えることを特徴とするアルバムコンテンツ自動作成システム。
【請求項２５】
前記アルバムコンテンツ自動作成装置が、
前記被写体ＩＤ情報別に被写体の属性情報が登録されている被写体情報データベースからユーザに指定された被写体ＩＤ情報に対応する被写体の属性情報を読み出し、その属性情報に基づいて前記第２の手段で抽出された撮影画像データに対するコメント文を作成し、そのコメント文を添付したアルバムコンテンツを出力する第３の手段をさらに備えることを特徴とする請求項２２に記載のアルバムコンテンツ自動作成システム。
【請求項２６】
前記アルバムコンテンツ自動作成装置が、
前記背景物体ＩＤ情報別に背景物体の属性情報が登録されている背景物体情報データベースからユーザに指定された背景物体ＩＤ情報に対応する背景物体の属性情報を読み出し、その属性情報に基づいて前記第２の手段で抽出された撮影画像データに対するコメント文を作成し、そのコメント文を添付したアルバムコンテンツを出力する第３の手段をさらに備えることを特徴とする請求項２３に記載のアルバムコンテンツ自動作成システム。
【請求項２７】
前記アルバムコンテンツ自動作成装置が、
任意の撮影位置に対してそれぞれの撮影位置の属性情報が登録されている位置情報データベースから前記撮影画像データの添付情報として含まれる撮影位置情報に相当する属性情報を読み出し、その属性情報に基づいて前記第２の手段で抽出された撮影画像データに対するコメント文を作成し、そのコメント文を添付したアルバムコンテンツを出力する第３の手段をさらに備えることを特徴とする請求項３に記載のアルバムコンテンツ自動作成システム。
【請求項２８】
前記アルバムコンテンツ自動作成装置が、
被写体の多様な属性に関連する広告情報が登録されている広告情報データベースから前記第３の手段で読み出した被写体の属性情報に対応する広告情報を読み出し、その広告情報をアルバムコンテンツにさらに添付する第４の手段を備えることを特徴とする請求項２５に記載のアルバムコンテンツ自動作成システム。
【請求項２９】
前記アルバムコンテンツ自動作成装置が、
背景物体別の属性に関連する広告情報が登録されている広告情報データベースから前記第３の手段で読み出した背景物体の属性情報に対応する広告情報を読み出し、その広告情報をアルバムコンテンツにさらに添付する第４の手段を備えることを特徴とする請求項２６に記載のアルバムコンテンツ自動作成システム。
【請求項３０】
前記アルバムコンテンツ自動作成装置が、
撮影場所別の属性に関連する広告情報が登録されている広告情報データベースから前記第３の手段で読み出した撮影位置の属性情報に対応する広告情報を読み出し、その広告情報をアルバムコンテンツにさらに添付する第４の手段を備えることを特徴とする請求項２７に記載のアルバムコンテンツ自動作成方法。
【請求項３１】
撮影画像データ中の特定の被写体に関するアルバムコンテンツなどを作成するためのディジタルカメラであって、
撮影対象である被写体が保持している無線タグから当該被写体に固有の被写体ＩＤ情報を読み取り、撮影した被写体の撮影画像データの添付情報として撮影画像データ記憶媒体に格納する無線タグ読み取り手段を備えることを特徴とするディジタルカメラ。
【請求項３２】
撮影画像データ中の特定の被写体に関するアルバムコンテンツなどを作成するためのディジタルカメラであって、
撮影対象である被写体が保持している無線タグから当該被写体に固有の被写体ＩＤ情報を読み取り、撮影した被写体の撮影画像データの添付情報として撮影画像データ記憶媒体に格納する無線タグ読み取り手段と、撮影位置情報を検出し、該撮影位置情報を被写体の撮影画像データの添付情報として撮影画像データ記憶媒体に格納する現在位置検出手段を備えることを特徴とするディジタルカメラ。
【発明の詳細な説明】
【技術分野】
【０００１】
本発明は、娯楽施設などの敷地内で入場者が撮影した画像群からコメント文や広告が付いたアルバムを自動作成するアルバムコンテンツ自動作成方法及びシステムに関するものである。
【背景技術】
【０００２】
近時において、ディジタルスチルカメラの普及に伴い、ユーザは様々な場面でディジタル画像を極めて簡単に撮影できるようになった。そして、それらの画像群からアルバムコンテンツを作成し、保存している。
例えば学校の旅行で遊園地に行ったときの各種の場面で生徒達の画像を撮影した場合、パーソナルコンピュータ上で画像群を分類して整理し、その後、それらの画像群を素材としてアルバム作成ソフトウェアで作品を作成する。
分類は、画像の内容を確認して振り分けを行う。最近市販されている画像整理や管理のためのソフトウェアには、パーソナルコンピュータやリムーバブル記憶メディア上の画像をサムネール表示し、画像の整理や管理を行い易くしてくれるものや、各画像にタグを入力し、そのタグによって分類・ソートを行うものがある。
分類後のアルバムコンテンツの編集は、メニューを作成し、ページ上に画像を貼り付け、コメントを記入する作業である。最近市販されているソフトウェアには、予め用意されたテンプレートに画像群を転送するだけでページを生成してくれるものなど、画像の挿入や入れ替え等のレイアウト作業を簡単な操作で行ってくれる機能を備えるものがある。
なお、本発明に関連する公知技術文献としては下記の特許文献１がある。
【特許文献１】特開２００２−４１７０３
【発明の開示】
【発明が解決しようとする課題】
【０００３】
しかしながら、ディジタルスチルカメラの手軽さと経済性があいまってフイルムカメラに比べて大量の画像を撮影する中、多くの画像管理ソフトウェアが世の中に出ているが、画像の内容の確認・分類・ソート、コメント入力等のディジタルアルバムコンテンツへの加工には、多くの手作業が必要で手間がかかる。さらに費用もかかる。
分類の仕方は、場合によりさまざまであるが、グループで１台のカメラを使用した場合は、カメラの所有者が被写人物に撮影画像を譲渡するために、その内容を確認して、被写人物ごとの振り分けを行う必要がある。市販のソフトウェアでは、撮影日時などの画像の添付情報を元に整理してくれるものがあるが、画像を被写人物ごとに分類する際の被写人物の確認といった画像の内容を確認は人間の目によって行うしかない。
ディジタルアルバムコンテンツへの加工で撮影画像に対してコメント文をつけるが、撮影時のあいまいな記憶に頼っている。
費用については、アルバムの中に企業広告を掲載し、製作費用の一部を広告依頼主に負担してもらうという解決案があるが、掲載内容を不特定多数対象にしているケースが大半で、広告を見る側の年齢・性別や興味などの特性を考慮したものではなく、ターゲットを絞りこんでいない点から広告主が期待するほどの宣伝効果をあげるには至っていない。
【０００４】
本発明の第１の目的は、被写人物ごとの振り分けなどの分類・編集作業を容易にすることができるアルバムコンテンツ自動作成方法及びシステムを提供することにある。
また、第２の目的は、アルバムコンテンツを作成するに際して、コメント文入力等の作業を軽減することができるアルバムコンテンツ自動作成方法及びシステムを提供することにある。
さらに、第３の目的は、アルバムコンテンツを作成するための費用を軽減することができるアルバムコンテンツ自動作成右方及びシステムを提供することにある。
【課題を解決するための手段】
【０００５】
上記目的を達成するために、本発明に係るアルバムコンテンツ自動作成方法は、ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体が保持している無線タグから当該被写体に固有の被写体ＩＤ情報を読み取り、撮影した被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報が添付された撮影画像データのみを抽出し、抽出された撮影画像データをアルバムコンテンツとして出力する第２のステップを備えることを特徴とする。
また、前記ディジタルカメラが、
当該カメラに付設した無線タグ読み取り手段によって撮影対象の被写体の背景物体に保持されている無線タグから当該背景物体に固有の背景物体ＩＤ情報を読み取り、撮影した被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された背景物体ＩＤ情報が添付された撮影画像データのみを抽出し、抽出された撮影画像データをアルバムコンテンツとして出力する第２のステップを備えることを特徴とする。
また、前記ディジタルカメラが、
当該カメラに付設した現在位置検出手段によって撮影位置情報を検出し、該撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された撮影位置に相当する撮影位置情報が添付された撮影画像データのみを抽出し、抽出された撮影画像データをアルバムコンテンツとして出力する第２のステップを備えることを特徴とする。
また、前記被写体ＩＤ情報別に被写体の属性情報が登録されている被写体情報データベースからユーザに指定された被写体ＩＤ情報に対応する被写体の属性情報を読み出し、その属性情報に基づいて前記第２のステップで抽出された撮影画像データに対するコメント文を作成し、そのコメント文を添付したアルバムコンテンツを出力する第３のステップをさらに備えることを特徴とする。
【０００６】
また、前記背景物体ＩＤ情報別に背景物体の属性情報が登録されている背景物体情報データベースからユーザに指定された背景物体ＩＤ情報に対応する背景物体の属性情報を読み出し、その属性情報に基づいて前記第２のステップで抽出された撮影画像データに対するコメント文を作成し、そのコメント文を添付したアルバムコンテンツを出力する第３のステップをさらに備えることを特徴とする。
また、任意の撮影位置に対してそれぞれの撮影位置の属性情報が登録されている位置情報データベースから前記撮影画像データの添付情報として含まれる撮影位置情報に相当する属性情報を読み出し、その属性情報に基づいて前記第２のステップで抽出された撮影画像データに対するコメント文を作成し、そのコメント文を添付したアルバムコンテンツを出力する第３のステップをさらに備えることを特徴とする。
また、被写体の多様な属性に関連する広告情報が登録されている広告情報データベースから前記第３のステップで読み出した被写体の属性情報に対応する広告情報を読み出し、その広告情報をアルバムコンテンツにさらに添付する第４のステップを備えることを特徴とする。
また、背景物体別の属性に関連する広告情報が登録されている広告情報データベースから前記第３のステップで読み出した背景物体の属性情報に対応する広告情報を読み出し、その広告情報をアルバムコンテンツにさらに添付する第４のステップを備えることを特徴とする。
また、撮影場所別の属性に関連する広告情報が登録されている広告情報データベースから前記第３のステップで読み出した撮影位置の属性情報に対応する広告情報を読み出し、その広告情報をアルバムコンテンツにさらに添付する第４のステップを備えることを特徴とする。
【０００７】
さらに、ディジタルカメラによって撮影した複数の撮影画像データを素材として撮影画像データ中の特定の被写体に関するアルバムコンテンツを作成するアルバムコンテンツ自動作成方法であって、
前記ディジタルカメラが、
当該カメラに付設した無線タグ読み取り手段によって撮影対象の被写体が保持している無線タグから当該被写体に固有の被写体ＩＤ情報を読み取り、さらに前記無線タグ読み取り手段によって撮影対象の被写体の背景物体に保持されている無線タグから当該背景物体に固有の背景物体ＩＤ情報を読み取り、これらの被写体ＩＤ情報及び背景物体ＩＤ情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報及び背景物体ＩＤ情報が添付された撮影画像データのみを抽出し、抽出された撮影画像データをアルバムコンテンツとして出力する第２のステップを備えることを特徴とする。
また、前記ディジタルカメラが、
当該カメラに付設した無線タグ読み取り手段によって撮影対象の被写体が保持している無線タグから当該被写体に固有の被写体ＩＤ情報を読み取り、さらに当該カメラに付設した現在位置検出手段によって撮影位置情報を検出し、これらの被写体ＩＤ情報及び撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報及び撮影位置情報が添付された撮影画像データのみを抽出し、抽出された撮影画像データをアルバムコンテンツとして出力する第２のステップを備えることを特徴とする。
また、前記ディジタルカメラが、
当該カメラに付設した無線タグ読み取り手段によって撮影対象の被写体の背景物体に保持されている無線タグから当該背景物体に固有の背景物体ＩＤ情報を読み取り、さらに当該カメラに付設した現在位置検出手段によって撮影位置情報を検出し、これらの被写体ＩＤ情報及び撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された背景物体ＩＤ情報及び撮影位置情報が添付された撮影画像データのみを抽出し、抽出された撮影画像データをアルバムコンテンツとして出力する第２のステップを備えることを特徴とする。
また、前記ディジタルカメラが、
当該カメラに付設した無線タグ読み取り手段によって撮影対象の被写体及び背景物体が保持している無線タグから当該被写体及び背景物体に固有の被写体ＩＤ情報及び背景物体ＩＤ情報を読み取り、さらに当該カメラに付設した現在位置検出手段によって撮影位置情報を検出し、これらの被写体ＩＤ情報及び撮影位置情報を被写体の撮影画像データの添付情報として撮影画像データ記憶媒体に格納する第１のステップを備え、
アルバムコンテンツを作成するアルバムコンテンツ自動作成装置が、
前記撮影画像データ記憶媒体に格納された添付情報を含む撮影画像データを読み出し、読み出した撮影画像データのうちユーザに指定された被写体ＩＤ情報、背景物体ＩＤ情報及び撮影位置情報が添付された撮影画像データのみを抽出し、抽出された撮影画像データをアルバムコンテンツとして出力する第２のステップを備えることを特徴とする。
【０００８】
さらに、前記被写体ＩＤ情報別に被写体の属性情報が登録されている被写体情報データベースからユーザに指定された被写体ＩＤ情報に対応する被写体の属性情報を読み出し、さらに前記背景物体ＩＤ情報別に背景物体の属性情報が登録されている背景物体情報データベースからユーザに指定された背景物体ＩＤ情報に対応する背景物体の属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする。
また、前記被写体ＩＤ情報別に被写体の属性情報が登録されている被写体情報データベースからユーザに指定された被写体ＩＤ情報に対応する被写体の属性情報を読み出し、さらに任意の撮影位置に対してそれぞれの撮影位置の属性情報が登録されている位置情報データベースから前記撮影画像データの添付情報として含まれる撮影位置情報に相当する属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする。
また、前記背景物体ＩＤ情報別に背景物体の属性情報が登録されている背景物体情報データベースからユーザに指定された背景物体ＩＤ情報に対応する背景物体の属性情報を読み出し、さらに任意の撮影位置に対してそれぞれの撮影位置の属性情報が登録されている位置情報データベースから前記撮影画像データの添付情報として含まれる撮影位置情報に相当する属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする。
また、前記被写体ＩＤ情報別に被写体の属性情報が登録されている被写体情報データベース及び前記背景物体ＩＤ情報別に背景物体の属性情報が登録されている背景物体情報データベースからユーザに指定された被写体ＩＤ情報及び背景物体ＩＤ情報に対応する被写体の属性情報及び背景物体の属性情報を読み出し、さらに任意の撮影位置に対してそれぞれの撮影位置の属性情報が登録されている位置情報データベースから前記撮影画像データの添付情報として含まれる撮影位置情報に相当する属性情報を読み出し、これら属性情報に基づいて前記第２のステップで抽出された撮影画像データに対するコメント文を作成し、そのコメント文を添付したアルバムコンテンツを出力する第３のステップをさらに備えることを特徴とする。
【０００９】
また、被写体の多様な属性に関連する広告情報が登録されている広告情報データベース及び背景物体別の属性に関連する広告情報が登録されている広告情報データベースから前記第３のステップで読み出した被写体の属性情報及び背景物体の属性情報に対応する広告情報を読み出し、その広告情報をアルバムコンテンツにさらに添付する第４のステップを備えることを特徴とする。
さらに、被写体の多様な属性に関連する広告情報が登録されている広告情報データベース及び撮影場所別の属性に関連する広告情報が登録されている広告情報データベースから前記第３のステップで読み出した被写体の属性情報及び撮影位置の属性情報に対応する広告情報を読み出し、その広告情報をアルバムコンテンツにさらに添付する第４のステップを備えることを特徴とする。
また、背景物体別の属性に関連する広告情報が登録されている広告情報データベース及び撮影場所別の属性に関連する広告情報が登録されている広告情報データベースから前記第３のステップで読み出した背景物体の属性情報及び撮影位置の属性情報に対応する広告情報を読み出し、その広告情報をアルバムコンテンツにさらに添付する第４のステップを備えることを特徴とする。
また、被写体の多様な属性に関連する広告情報が登録されている広告情報データベース、背景物体別の属性に関連する広告情報が登録されている広告情報データベース及び撮影場所別の属性に関連する広告情報が登録されている広告情報データベースから前記第３のステップで読み出した被写体の属性情報、背景物体の属性情報及び撮影位置の属性情報に対応する広告情報を読み出し、その広告情報をアルバムコンテンツにさらに添付する第４のステップを備えることを特徴とする。
【００１０】
本発明に係るシステムは、ディジタルカメラとアルバムコンテンツを作成するアルバムコンテンツ自動作成装置から構成され、前記ディジタルカメラによって撮影した複数の撮影画像データを素材として撮影画像データ中の特定の被写体に関するアルバムコンテンツを作成するアルバムコンテンツ自動作成システムであって、
前記ディジタルカメラが、
当該カメラに付設した無線タグ読み取り手段によって撮影対象の被写体が保持している無線タグから当該被写体に固有の被写体ＩＤ情報を読み取り、撮影した被写体の撮影画像データの添付情報として撮影画像データ記憶媒体に格納する第１の手段を備え、
前記アルバムコンテンツ自動作成装置が、
前記撮影画像データ記憶媒体に格納された添付情報を含む撮影画像データを読み出し、読み出した撮影画像データのうちユーザに指定された被写体ＩＤ情報が添付された撮影画像データのみを抽出し、抽出された撮影画像データをアルバムコンテンツとして出力する第２の手段を備えることを特徴とする。
また、前記ディジタルカメラが、
当該カメラに付設した無線タグ読み取り手段によって撮影対象の被写体の背景物体に保持されている無線タグから当該背景物体に固有の背景物体ＩＤ情報を読み取り、撮影した被写体の撮影画像データの添付情報として撮影画像データ記憶媒体に格納する第１の手段を備え、
前記アルバムコンテンツ自動作成装置が、
前記撮影画像データ記憶媒体に格納された添付情報を含む撮影画像データを読み出し、読み出した撮影画像データのうちユーザに指定された背景物体ＩＤ情報が添付された撮影画像データのみを抽出し、抽出された撮影画像データをアルバムコンテンツとして出力する第２の手段を備えることを特徴とする。
また、前記ディジタルカメラが、
当該カメラに付設した現在位置検出手段によって撮影位置情報を検出し、該撮影位置情報を被写体の撮影画像データの添付情報として撮影画像データ記憶媒体に格納する第１の手段を備え、
前記アルバムコンテンツ自動作成装置が、
前記撮影画像データ記憶媒体に格納された添付情報を含む撮影画像データを読み出し、読み出した撮影画像データのうちユーザに指定された撮影位置に相当する撮影位置情報が添付された撮影画像データのみを抽出し、抽出された撮影画像データをアルバムコンテンツとして出力する第２の手段を備えることを特徴とする。
【００１１】
また、前記アルバムコンテンツ自動作成装置が、
前記被写体ＩＤ情報別に被写体の属性情報が登録されている被写体情報データベースからユーザに指定された被写体ＩＤ情報に対応する被写体の属性情報を読み出し、その属性情報に基づいて前記第２の手段で抽出された撮影画像データに対するコメント文を作成し、そのコメント文を添付したアルバムコンテンツを出力する第３の手段をさらに備えることを特徴とする。
また、前記アルバムコンテンツ自動作成装置が、
前記背景物体ＩＤ情報別に背景物体の属性情報が登録されている背景物体情報データベースからユーザに指定された背景物体ＩＤ情報に対応する背景物体の属性情報を読み出し、その属性情報に基づいて前記第２の手段で抽出された撮影画像データに対するコメント文を作成し、そのコメント文を添付したアルバムコンテンツを出力する第３の手段をさらに備えることを特徴とする。
また、前記アルバムコンテンツ自動作成装置が、
任意の撮影位置に対してそれぞれの撮影位置の属性情報が登録されている位置情報データベースから前記撮影画像データの添付情報として含まれる撮影位置情報に相当する属性情報を読み出し、その属性情報に基づいて前記第２の手段で抽出された撮影画像データに対するコメント文を作成し、そのコメント文を添付したアルバムコンテンツを出力する第３の手段をさらに備えることを特徴とする。
【００１２】
さらに、前記アルバムコンテンツ自動作成装置が、
被写体の多様な属性に関連する広告情報が登録されている広告情報データベースから前記第３の手段で読み出した被写体の属性情報に対応する広告情報を読み出し、その広告情報をアルバムコンテンツにさらに添付する第４の手段を備えることを特徴とする。
また、前記アルバムコンテンツ自動作成装置が、
背景物体別の属性に関連する広告情報が登録されている広告情報データベースから前記第３の手段で読み出した背景物体の属性情報に対応する広告情報を読み出し、その広告情報をアルバムコンテンツにさらに添付する第４の手段を備えることを特徴とする。
また、前記アルバムコンテンツ自動作成装置が、
撮影場所別の属性に関連する広告情報が登録されている広告情報データベースから前記第３の手段で読み出した撮影位置の属性情報に対応する広告情報を読み出し、その広告情報をアルバムコンテンツにさらに添付する第４の手段を備えることを特徴とする。
【００１３】
本発明に係るディジタルカメラは、撮影対象である被写体が保持している無線タグから当該被写体に固有の被写体ＩＤ情報を読み取り、撮影した被写体の撮影画像データの添付情報として撮影画像データ記憶媒体に格納する無線タグ読み取り手段を備えることを特徴とする。
また、撮影対象である被写体が保持している無線タグから当該被写体に固有の被写体ＩＤ情報を読み取り、撮影した被写体の撮影画像データの添付情報として撮影画像データ記憶媒体に格納する無線タグ読み取り手段と、撮影位置情報を検出し、該撮影位置情報を被写体の撮影画像データの添付情報として撮影画像データ記憶媒体に格納する現在位置検出手段を備えることを特徴とする。
【発明の効果】
【００１４】
本発明によれば、次のような効果がある。
撮影画像の抽出や分類を、撮影画像データに添付された無線タグ情報や撮影位置情報によって自動的に行うことができるため、被写人物ごとの振り分けなどの分類・編集作業を容易にすることができる。
また、無線タグ情報や撮影位置情報に対応する属性情報をデータベースから読み出し、その属性情報によってコメント文を自動的に付加するため、コメント文入力等の作業を軽減することができる。
さらに、無線タグ情報や撮影位置情報に対応する広告情報をデータベースから読み出し、その広告情報を自動的に付加するため、広告情報の掲載料を広告主に負担してもらうことにより、アルバム作成にかかるユーザの費用を軽減することができる。また、広告主にとっても、被写体等の属性にポイントを絞った適切な広告を掲載できるため、広告効果をあげることができる。
【発明を実施するための最良の形態】
【００１５】
以下、本発明の実施形態を図面に従い説明する。
最初に、本発明のアルバムコンテンツ自動作成サービスシステムで出力される作品について解説する。
図１は、本発明のアルバムコンテンツ自動作成システムで生成したアルバムコンテンツの全体構成の一例を示す図である。本コンテンツは、図２に示す入場者グループを被写体としており、該入場者グループは学校、クラス、班へといった大分類から小分類へと階層的に分類されていることが前提となっている。
図１と図２を照らし合わせると分かるように、この分類は、そのままアルバムコンテンツ（図１）の構成に反映される。例えば、図２の大分類のグループ２０１は１０１の枠で囲まれた構成に対応、図２の中分類のグループ２０２は図１の１０２の枠で囲まれた構成に対応し、図２の小分類グループ２０７は、図１の１０３の枠で囲まれた構成に対応する。
アルバムコンテンツ作成の入力パラメータとして大分類グループ、中分類グループ、小分類グループ（特定人物）のいずれかを指定するが、出力する作品は、指定したグループを含み、それよりも下位の分類の構成の作品となる。
例えば、図２の大分類のグループ２０１を指定すると、大分類から１つ下位の中分類のグループの画面へ遷移するためのボタン１０７，１０８が羅列されたメニュー画面１０５をルート画面とする作品１０１となり、図２の中分類のグループ２０２を指定すれば、中分類から１つ下位の小分類のグループの画面へ遷移するためのボタン１１２，１１３が羅列されたメニュー画面１１１をルート画面とする作品１０２となり、図２の小分類グループ２０７を指定すると、該小分類グループに属する人物の画像群１０４のスライドショー１２５を起動するボタン１１８，１１９，１２０が羅列されたメニュー画面１１７をルートとする作品１０３となる。
【００１６】
本実施形態においては、ディジタルアルバムコンテンツの各所に被写人物や背景物体に関連した広告コンテンツが挿入される。その挿入形態としては、ある画面から別の画面へ遷移する間に表示するものや、スライドショーのページ内に貼り付けて表示するものがある。
前者の１つに、メニュー画面から別の画面へ遷移する際に例えば動画で構成された広告コンテンツを表示する形態がある。図１の遷移動画（１０９，１１０，１１５，１１６，１２２，１２３，１２４）がそれである。この広告コンテンツの表示形態にあっては、メニュー画面からボタンをクリックして別の画面へ遷移する際に直に目的の画面へは遷移しない。クリック後、広告コンテンツを表示してから目的の画面に遷移する。なお、クリックしたボタンは特定のグループに対応するが、そのボタンから表示する広告コンテンツは、該グループに属する人物向けの内容となっている。後者については後述する。
【００１７】
図３は、スライドショー１２５の詳細図である。
スライドショー１２５は、撮影画像３０３、広告表示領域３０２、コメント表示領域３０４から構成されている。コメント表示領域３０４には、被写人物のニックネームや撮影場所情報を元に生成したコメント文を表示する。
広告表示領域３０２は、前述したスライドショー１２５の広告コンテンツの表示領域である。広告の内容は、被写物体に関連した内容となる。図３の例は、撮影画像３０３に映っている「△△ファーストフード」に関連付けられた内容の広告を広告表示領域３０２に表示していることを示している。
【００１８】
次に、本発明のアルバムコンテンツ自動作成システムのシステム構成について解説する。
図４は、本発明のアルバムコンテンツ自動作成システムの一実施形態を示すシステム構成図である。
図４に示すシステムは、アルバム作成の素材群となるデータを格納するデータベース４０３，４０４，４０５，４０６，４０７，４０８と、これらのデータベースに格納されたデータを入力データとしてアルバムコンテンツの作成等を担う編集サーバ４０９と、アルバム作成要求及び素材データの登録要求を出すためのクライアントコンピュータ４１３と、出力データすなわち作成したアルバムコンテンツを格納する大容量ストレージ４１０とを備え、さらにインターネット４１１を介して広告コンテンツＤＢ４０８に広告コンテンツを登録することのできる広告依頼主のクライアントコンピュータ４１２が接続可能に構成されている。
ディジタルスチルカメラ４０１は、娯楽施設の入場者が施設内での撮影に使用するものであり、撮影した画像群は、リムーバブル媒体４０２を介して撮影画像ＤＢ４０６に登録される。
【００１９】
図５は、ディジタルスチルカメラ４０１の機能概要を示したものである。
ディジタルスチルカメラ４０１は標準機能である画像撮影機能に加え、Global Positioning System（以下、ＧＰＳ）で検出した現在の撮影位置情報を読み取り記録するユニット４０１１、ＲＦＩＤタグの情報を読み取り記録するユニット４０１２を備えている。
ＲＦＩＤタグ情報読み取り記録ユニット４０１１は、カメラ４０１の前方所定距離範囲５０１に存在する娯楽施設内の建造物等の物体５０２や入場者の被写人物が保持したＲＦＩＤタグ５０３、５０４の記録情報を微弱電波を用いた交信によって読み取り、その読み取り情報と撮影画像とあわせて記録するものである。
記録される情報は、図５の符号５０７の枠線内に示すように、撮影画像５０８と添付情報５０９である。添付情報５０９は、被写物体や被写人物から読み取ったＲＦＩＤタグ情報とＧＰＳ位置情報、撮影日時情報などである。
なお、本実施形態においてＲＦＩＤタグとは、予め必要な情報が記憶されており、ＲＦＩＤ読み取り手段からの無線による読み取り信号に応答し、記憶した情報を読み取り手段に無線で返信するものである。本発明においては、ＲＦＩＤタグに限らず、非接触ＩＣカードなど、既知の無線タグを用いることができる。
【００２０】
ディジタルスチルカメラ４０１のＲＦＩＤタグ読み取り記録ユニット４０１２の検知範囲は、図６に示しているようにハードウェアの感応範囲かつ該カメラへの設定情報で決まる。カメラ４０１には特定のグループが設定情報として設定されており、被写人物の検知については設定情報により指定されたグループに所属する被写人物のＲＦＩＤタグ情報だけを選択的に読み取る。
図６の例においては、「△△ファーストフード」の一部に設置されたＲＦＩＤタグ６０５の記録情報を読み取るようにカメラ４０１の設定情報が設定されている。また、小グループ内の青グループに属することを示す情報が記録されたＲＦＩＤタグ６０３，６０４を保持した被写人物と、小グループ内の灰グループに属することを示す情報が記録されたＲＦＩＤタグ６０１，６０２を保持した被写人物がカメラ４０１の視野内に存在するが、このうちＲＦＩＤタグ６０３，６０４を保持した小グループ内の青グループに属する被写人物が保持したＲＦＩＤタグ６０３，６０４の記録情報を読み取るようにカメラ４０１の設定情報が設定されている。
すなわち、ディジタルスチルカメラ４０１には、人物や物体に取り付けたＲＦＩＤタグのうち、読み取り対象とするＲＦＩＤタグを選択するための設定情報が設定されている。
したがって、例えば大分類グループに属する全ての被写人物のＲＦＩＤタグの記録情報を読み取るように設定してあった場合には、大分類グループに属する全ての被写人物のＲＦＩＤタグの記録情報が読み取り対象となる。また、中分類グループに属する全ての被写人物のＲＦＩＤタグの記録情報を読み取るように設定してあった場合には、大分類グループを除外した中分類グループに属する全ての被写人物のＲＦＩＤタグの記録情報が読み取り対象となる。
【００２１】
図７は、ディジタルスチルカメラ４０１のハードウェア構成を示すブロック図である。
該カメラ４０１は、撮影した画像データ４０１４に対し撮影日時等の撮影情報４０１３を添付した画像データを生成する画像データ生成部４０１５と、ＧＰＳ位置情報読み取り・記録ユニット４０１１から出力される撮影位置情報となるＧＰＳ情報４０１１ｄを読み取り記録するＧＰＳ位置情報取り込み部４０１６と、ＲＦＩＤタグ読み取り・記録ユニット４０１２から出力される被写物体・被写人物のＲＦＩＤタグ情報４０１２ｄを読み取り記録するＲＦＩＤタグ情報取り込み部４０１７と、これらの画像データ４０１４と撮影情報４０１３、ＧＰＳ情報４０１１ｄ及びＲＦＩＤタグ情報４０１２ｄとを纏めてExchangeable Image File Format（以降、ＥＸＩＦ）形式に変換するＥＸＩＦ変換部４０１８からなり、さらに、画像及び添付情報及び設定情報を保持する領域と、該情報をリムーバブル記憶メディア４０１９で外部とやりとりするためのリムーバブルメディアドライブ部４０２１を備えている。
被写人物についてのＲＦＩＤタグ情報４０１２ｄの読み取りは、着脱自在のリムーバブル記憶メディア４０１９内に予め設定した設定情報４０２０を参照し、その設定情報によって指定された読み取り対象のＲＦＩＤタグの情報を選択的に取り込むようになっている。
取り込まれたＲＦＩＤタグ情報は、撮影日時等の撮影情報４０１３が添付された画像データ４０１４と１組にしてリムーバブル記憶メディア４０１９内に記録される。
すなわち、カメラ４０１で複数人の被写人物を撮影すると、それらの被写人物の画像が撮影された画像データ４０１４に対し、撮影日時等の撮影情報４０１３が添付され、さらに設定情報４０２０で指定された読み取り対象のＲＦＩＤタグ情報が添付されてリムーバブル記憶メディア４０１９内に記録される。この場合、被写人物の背景に、ＲＦＩＤタグが設置された被写物体が存在し、その被写物体のＲＦＩＤタグ情報も読み取り対象に指定されていた場合には、当該ＲＦＩＤタグ情報も同時に添付されて記録される。
したがって、撮影した画像データを整理する場合、例えばＡグループのＲＦＩＤタグ情報が添付されている画像データのみを検索処理によって自動抽出するなどの処理が可能になる。
【００２２】
図８は、編集サーバ４０９の詳細構成を示すブロック図である。
編集サーバ４０９は、キーボード４０９１、マウス４０９２、リムーバブルメディアドライブ部４０９３、回線接続部４０９４、ＣＰＵ４０９５、表示装置４０９６および記憶装置４０９７を備えている。
記憶装置４０９７には、クライアントコンピュータ４１３から要求を受付け、ディジタルアルバムコンテンツの作成を行ったり、素材データの管理などを行う各種のプログラムが記憶されている。
これらのプログラムは、グループ情報管理部４０９７１、被写人物情報管理部４０９７２、被写物体情報管理部４０９７３、位置情報管理部４０９７４、撮影画像管理部４０９７５、広告コンテンツ管理部４０９７６、素材抽出部４０９７７、素材分類・ソート部４０９７８、コメント文生成部４０９７９、メニュー作成部４０９８０、ページ編集部４０９８１という処理プログラムによって構成されている。
入力パラメータの条件にあった素材を、入力データ群４１５から抽出し、記憶装置７０９７の各プログラムによって編集処理が行われ、完成したディジタルアルバムコンテンツは、大容量ストレージ４１０に出力される。
入力データ群４１５には、グループ情報ＤＢ４０３、被写人物情報ＤＢ４０４、被写物体情報ＤＢ４０５、撮影画像ＤＢ４０６、位置情報ＤＢ４０７、広告コンテンツＤＢ４０８がある。
【００２３】
図９は、グループ情報ＤＢ４０３に格納されたグループ情報テーブルの記憶内容の例を示すものである。
ここで例示するグループ情報テーブルは、図２で示した撮影対象のグループ分類に対応し、大分類、中分類、小分類の各グループが設定され、各グループには固有のＩＤが割り当てられ、かつグループの名前が設定されている。
このグループ情報テーブルに定義された情報により、例えば小分類グループの各人物は、大分類グループのＩＤ、中分類グループのＩＤ、小分類グループのＩＤを結合した合計９桁のＩ５Ｄ値で特定される。
【００２４】
図１０は、被写人物情報ＤＢ４０４に格納された被写人物情報テーブルの記憶内容の一例を示すものである。
ここで例示する被写人物情報テーブルは、図９のテーブルで分類された各グループに属する被写人物に対し、それぞれに割り当てた９桁の被写人物ＩＤ、名前、住所、ニックネーム、年齢、性別などの属性がグループ別に階層分けして記録されている。
ここで、各被写人物が保持するＲＦＩＤタグには、被写人物情報テーブルに記憶された被写人物ＩＤと同じＩＤが記録されている。
したがって、ＲＦＩＤタグを保持した人物を撮影したときに、被写人物のＲＦＩＤタグ情報を読み取り、撮影画像データに添付して記録しておくことにより、目的とする人物が撮影されている撮影画像データをその人物に割り当てた被写人物ＩＤによって自動検索するといった利用形態が可能になる。
【００２５】
図１１は、被写物体情報ＤＢ４０５に格納された被写物体情報テーブルの記憶内容の一例を示すものである。
ここで例示する被写物体情報テーブルは、撮影対象の背景に存在する被写物体に設置されたメリーゴーランドなどの物体のそれぞれに割り当てた被写物体ごとのＩＤに対し、名前、設置位置、スポンサー企業、物体の説明文（短文）、物体の説明文（長文）といった属性情報が記憶されている。
メリーゴーランドなどの被写物体に設置されているＲＦＩＤタグには、被写物体ごとのＩＤが記録されている。
したがって、ＲＦＩＤタグを保持した人物を撮影したときに、被写人物の背景画像として撮影されている物体に設置されているＲＦＩＤタグ情報を読み取り、撮影画像データに添付して記録しておくことにより、例えばメリーゴーランドを背景として撮影した撮影画像データをメリーゴーランドに割り当てた被写物体ＩＤによって自動検索するといった利用形態が可能になる。また、検索した撮影画像データに対し、被写物体情報テーブルに記録されている施設の名前や説明文を取得し、その施設の名前や説明文を添付したアルバムを容易に作成することができる。
【００２６】
図１２は、撮影画像ＤＢ４０６に格納された撮影画像テーブルの記憶内容の一例を示すものである。
ここで例示する撮影画像テーブルには、撮影画像毎に付与した撮影画像ＩＤに対し、その撮影画像データへのパス情報、被写人物のＩＤ、大分類グループＩＤ，中分類グループＩＤ，小分類グループＩＤ、被写物体ＩＤ、撮影位置、撮影日時などの添付情報が１組になって記憶されている。
ここで、被写人物ＩＤは、撮影画像に含まれる被写人物のうち設定情報４０２０によって読み取り対象に指定されたＲＦＩＤタグから読み取ったものである。また、被写物体ＩＤは、撮影画像の背景の物体に設置されたＲＦＩＤタグから読み取ったものである。撮影位置は、ＧＰＳ機能によって検出した撮影位置の緯度、経度から成る情報である。
【００２７】
図１３は、位置情報ＤＢ４０７に格納された位置情報テーブルの記憶内容の一例を示すものである。
ここで例示する位置情報テーブルには、施設内の撮影可能な場所毎に割り当てた場所ＩＤに対し、その場所の緯度、経度から成る位置情報、名前、説明文（短文）、説明文（長文）などの属性情報が記憶されている。
この位置情報テーブルの記憶情報は、撮影画像に添付して記録された撮影場所の位置情報に対応する場所名や説明文を検索してアルバムに挿入して編集する場合に使用される。
【００２８】
図１４は、広告コンテンツＤＢ４０８に格納された広告コンテンツテーブルの記憶内容の一例を示すものである。
ここで例示する広告コンテンツテーブルには、広告コンテンツ素材毎に割り当てたＩＤに対し、関連する被写物体ＩＤ，広告コンテンツ素材へのパス、種類（画像、動画、サウンド、テキスト文）、対象性別、対象年齢、広告依頼主ＩＤなどの属性情報が記憶されている。
広告コンテンツ素材そのものは、広告コンテンツ素材へのパス情報で示される広告コンテンツＤＢ４０８中の記憶位置に格納されている。
【００２９】
次に、本発明のアルバムコンテンツ自動作成システムの処理手順について説明する。
本システムは、娯楽施設など限られた敷地内で入場者が撮影した画像群から広告付きのアルバムを自動作成するものである。
入場者は複数人で入場し、図２で示すような階層的にグループの分類がなされていることが前提となっている。入場時に、各小分類のグループにディジタルスチルカメラ４０１が貸し出され、施設内を巡回しながら思い出の写真を撮影する。娯楽施設の入場者には、被写人物（入場者）や被写人物の同伴者を特定するこのとのできるＩＤが設定されたＲＦＩＤタグが付けてあり、また、施設内の物体にも、物体を特定することのできるＩＤが設定されたＲＦＩＤタグが付けてある。そして、ディジタルスチルカメラ４０１には、該ＲＦＩＤタグの情報を読み取り記録機能及びＧＰＳから位置情報を取得・記録機能、撮影日時を取得・記録機能が備え付けられている。
【００３０】
ディジタルスチルカメラ４０１は画像撮影時に、撮影した画像の添付情報として、前記のＲＦＩＤタグ情報及びＧＰＳ機能から取得した撮影位置情報、撮影日時情報を記録する。ただし、該カメラ４０１には撮影対象者となる小分類グループのグループＩＤが設定してあり、このグループＩＤをもつ、被写人物のＲＦＩＤタグだけが記録対象となる。施設退場時に該カメラ４０１は返却され、該カメラ４０１で撮影した画像及び添付情報は撮影画像ＤＢ４０６に登録される。
撮影画像ＤＢ４０６を含む入力データ群４１５のデータを素材として、アルバムが作成される。
【００３１】
アルバムの作成処理は、大きく５つの工程に分けられる。
第１工程は素材の準備、第２工程は作成条件の指定、第３工程は作成条件に従った素材の抽出、第４工程は素材の分類・ソート、第５工程は各ページの編集である。以下に、それぞれの工程について詳細を述べる。
第１工程の素材の準備は、入力データ群４１５へ必要な素材・情報を登録する処理である。グループ情報ＤＢ４０３と被写人物情報ＤＢ４０４への登録は入場手続き（図１５）時に行われる。被写物体情報ＤＢ４０５と位置情報ＤＢ４０７と広告コンテンツＤＢ４０８は本システム稼動前に予め登録されているものとする。撮影画像ＤＢ４０６への登録は前記で述べたとおり入場者の退場後に行われる。
【００３２】
図１５は、入場手続き時の処理を示すフローチャートである。
この入場手続き時の処理では、編集サーバ４０９のグループ情報管理部４０９７１、被写人物情報管理部４０９７２によってグループ情報ＤＢ４０３と被写人物情報ＤＢ４０４
に対し、グループ情報と被写人物情報が登録される。
まず、ステップ１５０１でグループ情報の登録を行い、ステップ１５０２で被写人物情報の登録を行う。
次に、ステップ１５０３でグループ情報登録及び被写人物情報登録により発番されたグループＩＤ（大分類、中分類、小分類）と被写人物ＩＤを入場券に付けるＲＦＩＤタグ（または名札に取り付けるＲＦＩＤタグ）に書き込む。
次に、ステップ１５０４で入場券（または名札）を該当の入場者に渡す。さらに、ステップ１５０５で各小分類グループに貸し出すディジタルスチルカメラ４０１の設定情報４０２に該グループのグループＩＤを設定する。ステップ１５０６で該ディジタルスチルカメラ４０１を該当の小分類グループに貸し出す。
ここで、該ディジタルスチルカメラ４０１は小分類グループのそれぞれの構成員に貸し出す形態と代表者に貸し出す形態があるが、どちらでもよい。また、設定情報４０２０としては、当該グループ構成員のみでなく、他のグループをも撮影対象とするように設定しても良い。
【００３３】
図１６は、図１５におけるステップ１５０１のグループ情報登録処理の詳細を示すフローチャートである。
グループ情報を登録する場合、入場者グループの代表者がクライアントコンピュータ４１３から編集サーバ４０９にログインし、図１７に示すようなグループ登録画面１７０１をクライアントコンピュータ４１３の表示画面に表示させる。
そして、このグループ登録画面１７０１において、入場者グループの代表者が大分類、中分類、小分類のグループ名を入力する（ステップ１６０１）。
編集サーバ４０９のグループ情報管理部４０９７１は、入力された其々のグループ名についてユニークなグループＩＤを発行する（ステップ１６０２）。そして、グループ名とグループＩＤをあわせて図９のような構成のグループ情報テーブルへ追加登録する（ステップ１６０３）。
これにより、グループ情報テーブルよりグループＩＤを元にグループの情報が参照できるようになる。
【００３４】
図１８は、図１５におけるステップ１５０２の被写人物情報登録処理の詳細を示すフローチャートである。
被写人物情報を登録する場合、入場者グループの代表者がクライアントコンピュータ４１３から編集サーバ４０９にログインし、図１９に示すような被写人物登録画面１９０１をクライアントコンピュータ４１３の表示画面に表示させる。
そして、この被写人物登録画面１９０１において、入場者グループの代表者が、各入場者の所属グループ（大分類、中分類、小分類）、名前、住所、ニックネーム、性別から成る被写人物情報を入力する（ステップ１８０１）。
編集サーバ４０９の被写人物情報管理部４０９７２は、入力された其々の入場者についてユニークな被写人物ＩＤを発行する（ステップ１８０２）。そして、被写人物情報と被写人物ＩＤをあわせて図１０のような構成の被写人物情報テーブルへ追加登録する（ステップ１８０３）。
これにより、被写人物ＩＤを元に被写人物情報が参照できるようになる。
【００３５】
次に、被写物体情報ＤＢ４０５と位置情報ＤＢ４０７、広告コンテンツＤＢ４０８への登録処理について説明する。
被写物体情報ＤＢ４０５に対してメリーゴーランド等の施設名称や設置位置などの情報の登録は、施設管理者がクライアントコンピュータ４１３から編集サーバ４０９にログインし、被写物体情報管理部４０９７３により図２０に示すような被写物体登録画面２００１をクライアントコンピュータ４１３の表示画面に表示させ、この表示画面内の入力フィールドに設置場所や名称などの情報を入力することによって実施する。
被写物体情報管理部４０９７３は、入力された被写物体情報について固有の被写物体ＩＤを発番し、その被写物体ＩＤと被写物体情報とを図１１の構成の被写物体情報テーブルへ追加登録する。また、被写物体ＩＤを記録したＲＦＩＤタグを発行する。その被写物体ＩＤを記録したＲＦＩＤタグは施設内の当該物体に取り付けられる。
これにより、被写物体ＩＤより被写物体情報が参照できるようになる。
【００３６】
位置情報ＤＢ４０７に対して施設内の任意の場所の位置情報の登録は、施設管理者がクライアントコンピュータ４１３から編集サーバ４０９にログインし、位置情報管理部４０９７４により図２１に示すような位置情報登録画面２１０１をクライアントコンピュータ４１３の表示画面に表示させ、この表示画面内の入力フィールドに位置情報や場所の名前などの情報を入力することによって実施する。
位置情報管理部４０９７４は、入力された位置情報について固有の場所ＩＤを発番し、その場所ＩＤと位置情報、名前などを図１３の構成の位置情報テーブル４０７へ追加登録する。
これにより、位置（緯度）を元にその場所の情報を参照できるようになる。
【００３７】
広告コンテンツＤＢ４０８への広告コンテンツの種類などの登録は、インターネット４１１を介して接続されている広告依頼主のクライアントコンピュータ４１２から編集サーバ４０９にログインし、広告コンテンツ管理部４０９７６により広告依頼主のクライアントコンピュータ４１２の表示画面に図２２に示すような広告コンテンツ登録画面２２０１を表示させ、この表示画面内の入力フィールドに被写物体ＩＤや、コンテンツの種類などを入力することによって実施する。
これにより、被写物体ＩＤを元に広告コンテンツ情報の種類や対象年齢、対象種別などを参照できるようになる。
【００３８】
次に、撮影画像ＤＢ４０６に対して撮影者が撮影した撮影画像データを登録する処理について説明する。
撮影画像ＤＢ４０６に対して撮影者が撮影した撮影画像データを登録する場合、撮影者（カメラ４０１の使用者）がクライアントコンピュータ４１３から編集サーバ４０９にログインし、撮影画像管理部４０９７４により図２３に示すような撮影画像登録画面２３０１をクライアントコンピュータ４１３の表示画面に表示させ、この撮影画像登録画面２３０１において、撮影画像が格納されたリムーバブル記憶メディアパスを指定すると、該メディア内の画像及び添付情報を読み出し、図１２の撮影画像テーブルへ追加する。
【００３９】
次に、第２工程におけるアルバムの作成条件の指定処理について説明する。
アルバムの作成条件は、アルバムを作成しようとするユーザ（グループ代表者、撮影者）がクライアントコンピュータ４１３から編集サーバ４０９にログインし、素材抽出部４０９７７により図２４に示すようなアルバム作成画面２４０１をクライアントコンピュータ４１３の表示画面に表示させ、このアルバム作成画面２４０１内で作成対象のグループＩＤもしくは被写人物ＩＤを指定する。本指定をトリガーにアルバム作成処理が開始し、第３工程以降の処理へと進む。
アルバム作成処理は、編集サーバ４０９の素材抽出部４０９７７、素材分類・ソート部４０９７８、コメント文生成部４０９７９、メニュー作成部４０９８０、ページ編集部４０９８１という処理プログラムが実施する。
【００４０】
第３工程から第５工程はアルバム作成処理であり、図２５にその処理のメインルーチンのフローチャートを示す。
まず、ステップ２５０１で撮影画像ＤＢ４０６の撮影画像テーブルから引数として渡された作成対象ＩＤに対応する撮影画像データのレコードを抽出する（第３工程）。
続くステップ２５０２において、前記ステップ２５０１で抽出したレコードをグループＩＤ（大分類）、グループＩＤ（中分類）、グループＩＤ（小分類）、被写人物ＩＤをキーとしてソートする（第４工程）。
次に、ステップ２５０３で引数の作成対象ＩＤを判定する。作成対象ＩＤとは、図２４の画面２４０１で指定したＩＤである。
作成対象ＩＤが大分類のグループＩＤであった場合は、ステップ２５０４の大分類グループのディジタルアルバム編集処理へ、中分類のグループＩＤであった場合はステップ２５０５の中分類グループのディジタルアルバム編集処理へ、小分類のグループＩＤであった場合はステップ２５０６の小分類グループのディジタルアルバム編集処理へ、被写人物ＩＤであった場合は２５０７の被写人物のスライドショー編集処理へ進む。
【００４１】
図２６に大分類グループのディジタルアルバム編集処理の詳細なフローチャートを示す。
まず、ステップ２６０１でグループ情報テーブルから引数のグループに含まれる中分類のグループ数を取得し、変数Ｉに格納する。
ステップ２６０２でメニュー画面（図１の１０５）を生成する。
ステップ２６０３でＩ個のボタン（図１の１０７，１０８）を生成し、ステップ２６０２のメニュー画面（図１の１０５）に貼り付ける。
ステップ２６０４で変数Ｋに１を代入する。
ステップ２６０５で変数ＫがＩ以下であるかを判定し、そうである場合はステップ２６０６のＫ番目の中分類グループのグループＩＤを取得処理へ進み、そうでない場合はリターンする。
ステップ２６０７において、ステップ２６０６で取得したグループＩＤを引数として中分類グループのディジタルアルバム編集処理をコールする。
ステップ２６０８でＫ番目の中分類グループにおける入場者の被写人物情報を被写人物情報テーブルから取得し、最多の属性（性別、年齢）を取得する。
ステップ２６０９において、ステップ２６０８で取得した属性を元に、広告コンテンツＤＢ４０８から当該属性に対応する広告コンテンツ素材（動画、サウンドなど）を取り出す。
ステップ２６１０において、ステップ２６０３で生成したボタン（図１の１０７，１０８）とステップ２６０９で取得した広告コンテンツ素材（動画、サウンドなど）をリンクする。
これによって、広告コンテンツ素材で構成された図１の遷移画面１０９、１１０が作成される。
ステップ２６１１において、ステップ２６１０の広告コンテンツ素材とステップ２６０７のディジタルアルバムをリンクする。
ステップ２６１２で変数Ｋを１つカウントアップし、ステップ２６０５に戻る。
【００４２】
図２７に中分類グループのディジタルアルバム編集処理のフローチャートを示す。
まず、ステップ２７０１においてグループ情報テーブルから引数のグループに含まれる小分類のグループ数を取得し、変数Ｉに代入する。
次に、ステップ２７０２でメニュー画面（図１の１１１）を生成する。
次に、ステップ２７０３でＩ個のボタン（図１の１１２，１１３）を生成し、ステップ２７０１のメニュー画面（図１の１１１）に貼り付ける。
次に、ステップ２７０４で変数Ｊに１を代入する。
次に、ステップ２７０５で変数ＪがＩ以下であるかを判定し、そうである場合はステップ２７０６のＪ番目の小分類グループのグループＩＤを取得する。そうでない場合はリターンする。
ステップ２７０７において、前記ステップ２７０６で取得したグループＩＤを引数として小分類グループのディジタルアルバム編集処理をコールする。
次に、ステップ２７０８でＪ番目の小分類グループの入場者の被写人物情報を被写人物情報テーブルから取得し、最多の属性（性別、年齢など）を取得する。
次に、ステップ２７０９において、前記ステップ２７０８で取得した属性を元に、広告コンテンツＤＢ４０８から当該属性に対応する広告コンテンツ素材（動画、サウンドなど）を取り出す。
次に、ステップ２７１０において、前記ステップ２７０３で生成したボタン（図１の１１２，１１３）とステップ２７０９の広告コンテンツ素材をリンクする。
これによって、広告コンテンツ素材で構成された図１の遷移画面１１５、１１６が作成される。
次に、ステップ２７１１において、前記ステップ２７１０の広告コンテンツ素材とステップ２７０７のディジタルアルバムをリンクする。
次に、ステップ２７１２で変数Ｊを１つカウントアップし、ステップ２７０５へ戻る。
【００４３】
図２８に小分類グループのディジタルアルバム編集処理のフローチャートを示す。
まず、ステップ２８０１において、被写人物情報テーブルから引数のグループに属する入場者の数を取得し変数Ｉに代入する。
次に、ステップ２８０２においてメニュー画面（図１の１１７）を生成する。
次に、ステップ２８０３でＩ個のボタン（図１の１１８，１１９，１２０）を生成し、ステップ２８０１のメニュー画面（図１の１１７）に貼り付ける。
次に、ステップ２８０４で変数Ｌに１を代入する。ステップ２８０５で変数ＬがＩ以下であるかを判定し、そうである場合はステップ２８０６でＬ番目の入場者の被写人物ＩＤを取得する。そうでない場合はリターンする。
ステップ２８０７において、前記ステップ２８０６で取得した被写人物ＩＤを引数として被写人物のスライドショー編集処理をコールし、被写人物のスライドショー１２５を作成する。
次に、ステップ２８０８で被写人物情報テーブルからＬ番目の入場者の属性（性別、年齢など）を取得する。
次に、ステップ２８０９において、前記２８０８で取得した属性を元に、広告コンテンツＤＢから当該属性に対応した広告コンテンツ素材を取り出す。
次に、ステップ２８１０において、前記ステップ２８０３で生成したボタン（図１の１１８，１１９，１２０）とステップ２８０９の広告コンテンツ素材をリンクする。
これによって、広告コンテンツ素材で構成された図１の遷移画面１２２，１２３，１２４が作成される。
続くステップ２８１１において、前記ステップ２８１０の広告コンテンツ素材とステップ２８０７のスライドショー１２５をリンクする。
最後に、ステップ２８１２で変数Ｌを１つカウントアップし、ステップ２８０５へ戻る。
【００４４】
図２９に被写人物のスライドショー編集処理のフローチャートを示す。
まず、ステップ２９０１において、撮影画像テーブルから引数の入場者の撮影画像枚数を取得し、変数Ｉに代入する。
次に、ステップ２９０２で撮影画像テーブルから引数の入場者の撮影画像及び添付情報を取り出し、変数「撮影画像群」に代入する。
続くステップ２９０３で変数Ｍに１を代入する。そして、次のステップ２９０４で変数ＭがＩ以下であるかを判定し、そうである場合は、ステップ２９０５のページ生成へ進み、当該入場者のアルバムのページを作成する。そうでない場合はリターンする。
次に、ステップ２９０６において、前記ステップ２９０５で生成したページに当該入場者の「撮影画像群」のＭ番目の撮影画像を貼り付ける。
次に、ステップ２９０７において、「撮影画像群」のＭ番目の撮影画像の添付情報を引数として、撮影画像の添付情報の被写物体ＩＤと被写人物の属性値に基づき、広告コンテンツの取り出し処理をコールし、被写人物の属性値（年齢や性別）に対応した広告コンテンツ素材を取得する。
次に、ステップ２９０８において、前記ステップ２９０５で生成したページにステップ２９０７で取り出した広告コンテンツ素材を貼り付ける。
これにより、図３の撮影画像のスライドショーに示すように、広告表示領域３０２に広告コンテンツ素材を貼り付けたスライドショーから成るページが作成される。
次に、ステップ２９０９で「撮影画像群」のＭ番目の撮影画像の添付情報を引数として撮影画像の添付情報から位置情報と被写人物情報を参照し、コメント文生成処理をコールし、Ｍ番目の撮影画像に対するコメント文を生成する。
次に、ステップ２９１０においてステップ２７０５で生成したページにステップ２９０９で生成したコメント文を貼り付ける。
これにより、図３の撮影画像のスライドショーに示すように、コメント表示領域３０４にコメント文を貼り付けたスライドショーから成るページが作成される。
ステップ２９１１で変数Ｍを１つカウントアップし、２９０４へ戻る。
【００４５】
図３０に撮影画像の添付情報の被写物体ＩＤと被写人物の属性情報を元に広告コンテンツ素材を取り出す処理のフローチャートを示す。
まず、ステップ３００１で引数の画像の添付情報の被写物体ＩＤ数を取得し、変数Ｉに代入する。
次に、テップ３００２で引数の画像の添付情報の被写物体ＩＤ群を取り出し、変数「被写物体ＩＤ群」に代入する。
次に、ステップ３００３で被写物体ＩＤ群の入場者らの最多の属性（性別、年齢など）を取得し、変数「最多の属性」に代入する。
次に、ステップ３００４で変数Ｐに１を代入する。ステップ３００５で変数ＰがＩ以下であるかを判定し、そうである場合はステップ３００６の「被写物体ＩＤ群」からＰ番目のＩＤを取り出す処理へ進む。そうでない場合はリターンする。
ステップ３００７で広告コンテンツテーブルからステップ３００６の「被写物体ＩＤ」と関連付いており、かつ「最多の属性」の条件に当てはまる広告コンテンツ素材を取り出す。
次に、ステップ３００８で変数Ｐを１つカウントアップし、ステップ３００５へ戻る。
【００４６】
図３１に撮影画像の添付情報から位置情報と被写人物情報を参照してコメント文を生成処理のフローチャートを示す。
まず、ステップ３１０１において、引数の画像の添付情報の被写物体ＩＤ数を取得し、変数Ｉに代入する。
次に、ステップ３１０２で引数の画像の添付情報の被写物体ＩＤ群を取り出し、変数「被写物体ＩＤ群」に代入する。
次に、ステップ３１０３で変数Ｑに１を代入する。ステップ３１０４で変数ＱがＩ以下であるかを判定し、そうである場合はステップ３１０５の被写物体ＩＤのＱ番目のＩＤを取り出す処理へ進む。そうでない場合はステップ３１０８に進む。
ステップ３１０６では、被写人物情報テーブルからステップ３１０５の被写物体ＩＤのニックネームを被写人物情報テーブルから取得し、変数「ニックネーム配列」に格納する。
次に、ステップ３１０７で変数Ｑを１つカウントアップし、ステップ３１０４へ戻る。
ステップ３１０８においては、引数の画像の添付情報の撮影位置情報に基づき、撮影位置情報に最も近い撮影場所を位置情報テーブルから検索し、この撮影場所を変数「撮影場所」へ代入する。
次に、ステップ３１０９で変数「ニックネーム配列」と変数「撮影場所」からコメント文を生成する。
例えば、Ｉ番目の被写人物ＩＤのニックネームが「ハナ」であり、撮影場所が「△△ファーストフード店前」であった場合、位置情報テーブルの当該撮影場所ＩＤのレコードに登録されている場所の説明文（短文）＝「△△ファーストフード店前」とニックネーム＝「ハナ」を連結して、「△△ファーストフード店前にてハナ」といったコメント文を生成する。
以上の手順によって作成されたアルバムコンテンツは出力データ用大容量ストレージ４１０に格納された後、ＣＤ−ＲＯＭやＤＶＤなどの記録媒体４１４にコピーされて被写人物に渡される。
なお、上記説明において、広告コンテンツは、スライドショーの各ページに貼り付ける形態と他のグループへの遷移画面に貼り付ける形態とを示したが、メニュー画面１０５、１１１、１１７に貼り付けるように構成することもできる。
【００４７】
（本発明の他の実施形態）
上記の実施形態においては、人物とその背景物体を被写体としているが、本発明は人物や背景物体に限らず、動物、植物、建物、道路設備、機械設備など、各種の物を撮影対象としてアルバムコンテンツを作成することができる。
また、人物や背景物体の属性、撮影場所の３つのパラメータを組み合わせたコメント文、あるいは広告情報をアルバムコンテンツに付加するようにしているが、人物、背景物体の属性、撮影場所の３つのパラメータのうち１つまたは２つ以上を組み合わせて作成したコメント文、あるいは広告情報をアルバムコンテンツに付加するように構成することができる。
さらに、遊戯施設などの限られた敷地内で撮影した画像に基づくアルバムコンテンツを作成する例を説明したが、限られた敷地内で使用するものに限定されるものではなく、例えば道路における信号機や標識などＲＦＩＤタグが付いている管理対象設備のアルバムコンテンツを作成する場合にも同様に適用することができる。
【図面の簡単な説明】
【００４８】
【図１】本発明のアルバムコンテンツ自動作成システムで生成したディジタルアルバムコンテンツの構成例を示す図である。
【図２】アルバムコンテンツ作成対象となる被写体グループを階層的に分類した例を示す図である。
【図３】アルバムコンテンツとして作成したスライドショーの例を示す図である。
【図４】本発明のアルバムコンテンツ自動作成システムの一実施形態を示すシステム構成図である。
【図５】ディジタルスチルカメラの機能について示した図である。
【図６】ディジタルスチルカメラのＲＦＩＤタグの検知機能について示した図である。
【図７】ディジタルスチルカメラの構成を示した機能ブロック図である。
【図８】編集サーバの詳細構成図である。
【図９】被写体をグループ分けした場合のグループ情報テーブルの構成図である。
【図１０】被写人物情報テーブルの構成図である。
【図１１】被写物体情報テーブルの構成図である。
【図１２】撮影画像テーブルの構成図である。
【図１３】位置情報テーブルの構成図である。
【図１４】広告コンテンツ情報テーブルの構成図である。
【図１５】入場手続きの概要を示すフローチャートである。
【図１６】グループ情報登録の処理を示すフローチャートである。
【図１７】グループ情報登録画面の例を示す図である。
【図１８】被写人物登録の処理を示すフローチャートである。
【図１９】被写人物登録画面の例を示す図である。
【図２０】被写物体登録画面の例を示す図である。
【図２１】位置情報登録画面の例を示す図である。
【図２２】広告コンテンツ登録画面の例を示す図である。
【図２３】撮影画像登録画面の例を示す図である。
【図２４】アルバム作成画面（作成の際の入力パラメータを指定する画面）の例を示す図である。
【図２５】ディジタルアルバムコンテンツ作成のメイン処理を示すフローチャートである。
【図２６】大分類グループのディジタルアルバム編集の処理を示すフローチャートである。
【図２７】中分類グループのディジタルアルバム編集の処理を示すフローチャートである。
【図２８】小分類グループのディジタルアルバム編集の処理を示すフローチャートである。
【図２９】被写人物のスライドショー編集の処理を示すフローチャートである。
【図３０】撮影画像の添付情報の被写物体ＩＤと被写人物の属性値を元に広告コンテンツの取り出し処理を示すフローチャートである。
【図３１】撮影画像の添付情報から位置情報と被写人物情報を参照してコメント文生成処理を示すフローチャートである。
【符号の説明】
【００４９】
４０１    ディジタルスチルカメラ
４０３    グループ情報データベース
４０４    被写人物情報データベース
４０５    被写物体情報データベース
４０６    撮影画像データベース
４０７    位置情報データベース
４０８    広告コンテンツデータベース
４０９    編集サーバ
４１０    出力データ用大容量ストレージ
４１１    インターネット
４１２    クライアントコンピュータ
４１３    クライアントコンピュータ
４０１１    ＧＰＳ位置情報読み取り・記録ユニット
４０１２    ＲＦＩＤタグ読み取り・記録ユニット
４０２０    設定情報
【図１】
2006350550.tif 000003
【図２】
2006350550.tif 000004
【図３】
2006350550.tif 000005
【図４】
2006350550.tif 000006
【図５】
2006350550.tif 000007
【図６】
2006350550.tif 000008
【図７】
2006350550.tif 000009
【図８】
2006350550.tif 000010
【図９】
2006350550.tif 000011
【図１０】
2006350550.tif 000012
【図１１】
2006350550.tif 000013
【図１２】
2006350550.tif 000014
【図１３】
2006350550.tif 000015
【図１４】
2006350550.tif 000016
【図１５】
2006350550.tif 000017
【図１６】
2006350550.tif 000018
【図１７】
2006350550.tif 000019
【図１８】
2006350550.tif 000020
【図１９】
2006350550.tif 000021
【図２０】
2006350550.tif 000022
【図２１】
2006350550.tif 000023
【図２２】
2006350550.tif 000024
【図２３】
2006350550.tif 000025
【図２４】
2006350550.tif 000026
【図２５】
2006350550.tif 000027
【図２６】
2006350550.tif 000028
【図２７】
2006350550.tif 000029
【図２８】
2006350550.tif 000030
【図２９】
2006350550.tif 000031
【図３０】
2006350550.tif 000032
【図３１】
2006350550.tif 000033